(57)【要約】【課題】従来の射出成形機を用いて大きさをより大きくしたミラーカバーを備えるプロジェクションテレビを提供すること。【解決手段】プロジェクションテレビ１２は下部筐体１４と上部筐体１６とを備え、下部筐体１４に光学ユニット１８が設けられ、上部筐体１６にスクリーン２２およびミラー２４が設けられている。上部筐体１６は、前カバー２６とミラーカバー２８で構成されている。ミラーカバー２８は合成樹脂製で射出成形により一体成形されている。ミラーカバー２８は、スクリーン２２に対向する後面部２８０６を備える。後面部２８０６の中央に開口２８１０が形成されている。後面部２８０６の上下部に、開口２８１０の上下縁部に臨むようにミラー取り付け片２８１２が形成されている。ミラー２４はミラー取り付け片２８１２に取り付けられ、開口２８１０は蓋板３０で閉塞されている。【選択図】        図１
2005010568.tif 000002
【特許請求の範囲】
【請求項１】
射出成形された合成樹脂製のミラーカバーにミラーが収容され、光学ユニットで生成された映像を前記ミラーで反射させその背面からスクリーンに投射するプロジェクションテレビであって、
前記ミラーカバーに、前記ミラーに対応した大きさの開口が設けられ、
前記ミラーカバーの内部で前記開口に臨む箇所に、前記ミラーを取り付けるためのミラー取り付け部が設けられ、
前記ミラー取り付け部にミラーが取り付けられた状態で前記開口に蓋板が取着され該開口が閉塞される、
ことを特徴とするプロジェクションテレビ。
【請求項２】
前記ミラーが前記開口を通して前記ミラーカバーから出し入れできるように、前記開口は前記ミラーよりも大きな寸法で形成されていることを特徴とする請求項１記載のプロジェクションテレビ。
【請求項３】
前記プロジェクションテレビは、前記光学ユニットが収容される下部筐体と、この下部筐体の上に結合される上部筐体とを備え、前記上部筐体は、前記スクリーンが設けられる前カバーと、この前カバーに結合される前記ミラーカバーとで構成され、前記ミラーカバーは、前記スクリーンに対向する後面部を備え、前記開口は前記後面部に設けられていることを特徴とする請求項１記載のプロジェクションテレビ。
【請求項４】
光学ユニットで生成された映像をミラーで反射させその背面からスクリーンに投射し、前記ミラーは、射出成形された合成樹脂製のミラーカバーに収容されるプロジェクションテレビであって、
前記ミラーカバーに、前記ミラーに対応した大きさの開口が設けられ、
前記ミラーカバーの内部で前記開口に臨む箇所に、前記ミラーを取り付けるためのミラー取り付け部が設けられ、
前記開口を閉塞する蓋板が設けられる、
ことを特徴とするプロジェクションテレビのミラーカバー。
【請求項５】
前記ミラーカバーは、前記スクリーンに対向する後面部を備え、前記開口は前記後面部に設けられていることを特徴とする請求項４記載のプロジェクションテレビのミラーカバー。
【請求項６】
前記開口を通して前記ミラーが前記ミラーカバーから出し入れできるように、前記開口は前記ミラーよりも大きな寸法で形成されていることを特徴とする請求項４記載のプロジェクションテレビのミラーカバー。
【発明の詳細な説明】
【０００１】
【発明の属する技術分野】
本発明は光源の光を利用した映像を映し出すプロジェクションテレビ（リアプロジェクー）とそのミラーカバーに関する。
【０００２】
【従来の技術】
プロジェクションテレビ（リアプロジェクー）は、光学ユニットで生成された映像をミラーにより反射させ、スクリーンの背面に投射させてスクリーンの前面に映し出すようにしており、ミラーは、ミラーカバーの内部でスクリーンに対向する後面部に臨ませて配置されている。
このミラーカバーは合成樹脂製であり、射出成形により一体に成形されている（例えば、特許文献１参照）。
【０００３】
【特許文献１】
特開２００１−２２２０６０号公報
【０００４】
【発明が解決しようとする課題】
一方、この種のミラーカバーの成形用として用いられる射出成形機の型締め力は、２５００ｔ程度である。
そして、射出成形において型締め力は１ｃｍ２あたり３００ｋｇ程度必要とされることから、２５００ｔの型締め力の射出成形機で得られるミラーカバーの大きさは、１ｃｍ２あたりの型締め力３００ｋｇから逆算され、決定される。
このようなことから、従来では、５７インチの大きさのプロジェクションテレビのミラーカバーまで射出成形により成形できるものの、それ以上の大きさ、例えば、６５インチの大きさのプロジェクションテレビのミラーカバーでは射出成形機が使えず、木材などを用いてミラーカバーを製造しているのが現状である。
そのため、６５インチなどのような大型のプロジェクションテレビのコストダウンを図る上で限界があった。
本発明は前記事情に鑑み案出されたものであって、本発明の目的は、従来用いられている射出成形機を用いて大きさをより大きくしたミラーカバーを備えるプロジェクションテレビを提供することにあり、また、本発明の目的は、従来用いられている射出成形機を用いて大きさをより大きくできるプロジェクションテレビのミラーカバーを提供することにある。
【０００５】
【課題を解決するための手段】
前記目的を達成するため本発明は、射出成形された合成樹脂製のミラーカバーにミラーが収容され、光学ユニットで生成された映像を前記ミラーで反射させその背面からスクリーンに投射するプロジェクションテレビであって、前記ミラーカバーに、前記ミラーに対応した大きさの開口が設けられ、前記ミラーカバーの内部で前記開口に臨む箇所に、前記ミラーを取り付けるためのミラー取り付け部が設けられ、前記ミラー取り付け部にミラーが取り付けられた状態で前記開口に蓋板が取着され該開口が閉塞されることを特徴とする。
また、本発明は、光学ユニットで生成された映像をミラーで反射させその背面からスクリーンに投射し、前記ミラーは、射出成形された合成樹脂製のミラーカバーに収容されるプロジェクションテレビであって、前記ミラーカバーに、前記ミラーに対応した大きさの開口が設けられ、前記ミラーカバーの内部で前記開口に臨む箇所に、前記ミラーを取り付けるためのミラー取り付け部が設けられ、前記開口を閉塞する蓋板が設けられることを特徴とする。
本発明によれば、開口によりミラーカバーの表面積が減少するので、その表面積の減少分、単位面積あたりの型締め力を確保しつつ従来の射出成形機を用いてミラーカバーの大きさをより大きくできる。
【０００６】
【発明の実施の形態】
以下、本発明の実施の形態を図面を参照して説明する。
図１（Ａ）はプロジェクションテレビの側面図、（Ｂ）は（Ａ）のＢ矢視図、図２（Ａ）はミラーカバーの側面図、（Ｂ）は（Ａ）のＢ矢視図、図３はミラーカバーの斜視図を示す。
プロジェクションテレビ（リアプロジェクー）１２は、下部筐体１４と、この下部筐体１４の上に結合される上部筐体１６とを備え、下部筐体１４に、光学ユニット１８が設けられ、上部筐体１６にスクリーン２２およびミラー２４が設けられている。
光学ユニット１８は、表示すべき映像を光学的に生成する装置であり、例えば、光源やこの光源からの光を利用して映像を形成する液晶ユニット、映像を拡大する投射レンズなどを備えている。光学ユニットで生成された映像は、ミラー２４により反射され、スクリーン２２の背面に投射され、これによりスクリーン２２の前面に映像が映し出される。
上部筐体１６は、前カバー２６と、この前カバー２６に結合されるミラーカバー２８で構成されている。
前カバー２６は矩形枠状を呈し、前カバー２６の中央開口にスクリーン２２が取着される。
【０００７】
ミラーカバー２８は合成樹脂製で、射出成形により一体成形されている。
ミラーカバー２８は、左右の側面部２８０２と、左右の側面部２８０２の前部上端間を接続する上面部２８０４と、左右の側面部２８０２の傾斜した後縁を接続する斜め上方を向いた後面部２８０６と、左右の側面部２８０２の下部後端間を接続する下面部２８０８との４つの平坦な面板を備えている。
後面部２８０６の中央には、左右に横長の矩形状の開口２８１０が形成され、したがって、後面部２８０６は矩形枠状を呈している。
開口２８１０の縦横は、図１（Ｂ）に示すように、ミラー２４の縦横よりも大きな寸法で形成され、開口２８１０からミラー２４を出し入れできるように形成されている。
【０００８】
後面部２８０６の上下部には、開口２８１０の上下縁部に臨むように、ミラー取り付け片２８１２がそれぞれ左右に延在形成されている。ミラー２４は、この上下のミラー取り付け片２８１２に取着されことでミラーカバー２８の内部に収容される。本実施の形態では、ミラー取り付け片２８１２が、ミラー２４を取り付けるためのミラー取り付け部に相当している。
ミラー２４がミラー取り付け片２８１２に取着されたのち、開口２８１０に蓋板３０が着脱可能に取り付けられ、これにより開口２８１０が閉塞され、ミラーカバー２８の内部が遮光される。
【０００９】
本実施の形態によれば、ミラーカバー２８にはミラー２４に対応した大きさの開口２８１０が形成され、開口２８１０によりミラーカバー２８の表面積が減少されている。
したがって、従来の開口を有していないミラーカバーに比べて、１ｃｍ２あたりの型締め力３００ｋｇを確保しつつ、開口２８１０により表面積が減少された分だけミラーカバー２８の外形寸法（輪郭）を大きくできる。
すなわち、ミラーカバー成形用として用いられる射出成形機の型締め力は、２５００ｔ程度であり、この射出成形機で得られるミラーカバーの大きさ（表面積）は、１ｃｍ２あたりの型締め力３００ｋｇから逆算されて決定され、従来では、５７インチの大きさのプロジェクションテレビのミラーカバーまでが限度であったが、本実施の形態では、開口２８１０によってミラーカバー２８の表面積を減少できるので、６５インチの大きさのプロジェクションテレビのミラーカバーを合成樹脂を用いて射出成形することが可能となる。
【００１０】
したがって、６５インチなどのような大型のプロジェクションテレビおよびそのミラーカバーのコストダウンを図る上で極めて有利となる。
また、開口２８１０は、ミラー２４よりも大きい寸法に形成されているので、ミラー２４の組み付け作業を簡単化する上でも有利となる。
【００１１】
なお、本実施の形態では、開口２８１０を後面部２８０６に設けた場合について説明したが、開口２８１０を設ける箇所は後面部２８０６に限定されず、任意である。
【００１２】
【発明の効果】
以上説明したように本発明によれば、従来用いられている射出成形機を用いて大きさをより大きくしたミラーカバーを備えるプロジェクションテレビを提供することができ、また、従来用いられている射出成形機を用いて大きさをより大きくできるプロジェクションテレビのミラーカバーを提供することができ、したがって、大型のプロジェクションテレビおよびミラーカバーのコストダウンを図る上で極めて有利となる。
【図面の簡単な説明】
【図１】（Ａ）はプロジェクションテレビの側面図、（Ｂ）は（Ａ）のＢ矢視図である。
【図２】（Ａ）はミラーカバーの側面図、（Ｂ）は（Ａ）のＢ矢視図である。
【図３】ミラーカバーの斜視図である。
【符号の説明】
１２……プロジェクションテレビ、１８……光学ユニット、２４……ミラー、２８……ミラーカバー、２８０６……後面部、２８１０……開口、２８１２……ミラー取り付け片、３０……蓋板。
【図１】
2005010568.tif 000003
【図２】
2005010568.tif 000004
【図３】
2005010568.tif 000005